(57)【特許請求の範囲】
【請求項１】
対応するビルのビル設備を制御するビル設備制御装置と前記ビル設備に関する制御情報を受けてネットワーク上に送出する際、前記制御情報を予め定められたネットワーク変数に対応づけて送出する通信端末装置とからなるビル設備管理装置において、
ビル設備制御装置は対応するビル設備のプロセス入出力装置と、前記ビル設備に関する制御情報格納領域及びプログラム格納領域を有する第１の記憶装置を有し、
一方前記通信端末装置には、前記ビル設備の機種名を表す機種情報が格納されている機種情報格納領域と、前記対応するビルのビル設備の機種名毎に前記制御情報と前記ネットワーク変数とが対応付けられたネットワーク変数対応テーブルとを具えた第２の記憶装置と、前記制御装置と接続された際前記制御装置から前記機種情報を得て該機種情報に対応する機種名に対応する前記ネットワーク変数テーブルを検索ネットワーク変数対応テーブルとして検索し前記ビル設備の機種に応じて前記検索ネットワーク変数対応テーブルを参照して前記制御情報と前記ネットワーク変数との対応付けを行う通信制御手段とを有し、
前記ビル設備制御装置は前記通信端末装置の通信制御手段を経由してネットワークと接続可能に構成され、
前記ビル設備制御装置が通信制御手段を経由してネットワークと接続された際に、前記通信制御手段は第２の記憶装置内に前記検索ネットワーク変数対応テーブルが存在しないと、前記通信制御手段は前記第２の記憶装置に格納された前記ネットワーク変数対応テーブルを送付ネットワーク対応テーブルとして得て該送付ネットワーク変数テーブルを参照して前記制御情報と前記ネットワーク変数との対応付けを行うように制御することを特徴とする通信端末装置。
【請求項２】
対応するビルのビル設備を制御するビル設備制御装置と前記ビル設備に関する制御情報を受けてネットワーク上に送出する際、前記制御情報を予め定められたネットワーク変数に対応づけて送出する通信端末装置とからなるビル設備管理装置において、
ビル設備制御装置は対応するビル設備のプロセス入出力装置と、前記ビル設備に関する制御情報格納領域及びプログラム格納領域を有する第１の記憶装置を有し、
一方前記通信端末装置には、前記ビル設備の機種名を表す機種情報が格納されている機種情報格納領域と、前記対応するビルのビル設備の機種名毎に前記制御情報と前記ネットワーク変数とが対応付けられたネットワーク変数対応テーブルとを具えた第２の記憶装置と、前記制御装置と接続された際前記制御装置から前記機種情報を得て該機種情報に対応する機種名に対応する前記ネットワーク変数テーブルを検索ネットワーク変数対応テーブルとして検索し前記ビル設備の機種に応じて前記検索ネットワーク変数対応テーブルを参照して前記制御情報と前記ネットワーク変数との対応付けを行う通信制御手段とを有し、
前記ビル設備制御装置は前記通信端末装置の通信制御手段を経由してネットワークと接続可能に構成され、
前記ビル設備制御装置が通信制御手段を経由してネットワークと接続された際に、前記通信制御手段は、前記ネットワークから制御データを受けた際前記検索ネットワーク変数対応テーブルに基づいて前記ネットワーク変数と前記制御データとの対応づけを行うように制御することを特徴とするビル設備用制御装置に用いられる通信端末装置。
【発明の詳細な説明】
【０００１】
【発明の属する技術分野】
本発明は、ビル用設備、例えば、冷凍機を制御するための制御装置に用いられる通信端末装置に関し、特に、ネットワークに対してビル用設備の状態を送出するとともにネットワークを介してビル用設備に対する制御指令等を受けてビル用設備を制御する制御装置とともに用いられる通信端末装置に関する。
【０００２】
【従来の技術】
一般に、ビル用設備（例えば、冷凍機）は、ビル用設備制御装置によって制御されるとともに監視されており、ビル用設備を制御する際には、ビル用設備制御装置にはビル用設備の状態が入力されるとともにビル用設備の状態を規定する設定値等が入力設定され、ビル用設備制御装置では、設定値及びビル用設備の状態に基づいてビル用設備を制御している。
【０００３】
また、制御装置における制御状態は別に中央監視室等に送られる。ビル用設備には種々の設備があり、ビル用設備毎に制御装置が備えられている（例えば、冷凍機には冷凍機用制御装置、エレベータにはエレベータ用制御装置、給水設備には給水用制御装置が備えられている）。しかも複数のビルにおいてビル用設備の制御状態を監視しようとすると、ビル用設備の数は膨大なものとなる。このため、近年、ネットワークを用いて各ビル用設備の状態（つまり、制御装置における制御状態）を監視することが行われており、例えば、ネットワークとして、所謂ローカルオペレーティングネットワーク（ＬＯＮ）が知られている。
【０００４】
ＬＯＮを用いて各ビル用設備を監視する際には、一般にビル用設備制御装置がニューロンチップと呼ばれるマイコンチップを用いてＬＯＮに接続される（このニューロンチップには通信プロトコル（ロントーク（ＬＯＮ  ＴＡＬＫ））が格納されている。
【０００５】
このように、ＬＯＮ等のネットワークを用いれば、複数のビルについて、多数のビル用設備を一か所で集中して管理することができる。
【０００６】
【発明が解決しようとする課題】
ところで、同一のビル用設備（例えば、冷凍機）においても、その機種がビル毎に異なることが多く、機種が異なると、必然的に、ビル用設備制御装置で扱う制御パラメータ及びビル用設備の状態を表す状態量等を表す制御情報が異なり、ビル用設備制御装置をＬＯＮ等のネットワークに接続する際には、機種に応じて制御情報をネットワーク変数へ対応付けるするとともにネットワーク変数を機種に対応した制御情報に対応付ける必要がある。つまり、同一のビル用設備でも、機種毎に通信端末装置（ニューロンチップ等のマイコンチップを搭載した装置）を準備する必要がある。
【０００７】
上述のように、ビル用設備制御装置をＬＯＮ等のネットワークに接続する際には、機種に応じて通信端末装置を準備しなければならず、複数のビルについて、多数のビル用設備をネットワークに接続して集中管理しようとすると、ビル用設備の機種毎に別の通信端末装置を準備しなければならない。つまり、機種が異なる毎に、制御情報とネットワーク変数とを対応付けた通信端末装置を準備しなければならず、ビル用設備制御装置をネットワークに接続することが極めて面倒になってしまうという問題点がある。
【０００８】
本発明の目的は、ビル用設備の機種に関係なく容易にビル用機器制御装置をネットワークに接続することのできる通信端末装置を提供することにある。
【０００９】
【課題を解決するための手段】
本発明によれば、対応するビルのビル設備を制御するビル設備制御装置と前記ビル設備に関する制御情報を受けてネットワーク上に送出する際、前記制御情報を予め定められたネットワーク変数に対応づけて送出する通信端末装置とからなるビル設備管理装置において、
ビル設備制御装置は対応するビル設備のプロセス入出力装置と、前記ビル設備に関する制御情報格納領域及びプログラム格納領域を有する第１の記憶装置を有し、
一方前記通信端末装置には、前記ビル設備の機種名を表す機種情報が格納されている機種情報格納領域と、前記対応するビルのビル設備の機種名毎に前記制御情報と前記ネットワーク変数とが対応付けられたネットワーク変数対応テーブルとを具えた第２の記憶装置と、前記制御装置と接続された際前記制御装置から前記機種情報を得て該機種情報に対応する機種名に対応する前記ネットワーク変数テーブルを検索ネットワーク変数対応テーブルとして検索し前記ビル設備の機種に応じて前記検索ネットワーク変数対応テーブルを参照して前記制御情報と前記ネットワーク変数との対応付けを行う通信制御手段とを有し、
前記ビル設備制御装置は前記通信端末装置の通信制御手段を経由してネットワークと接続可能に構成されていることを要旨とするビル設備用制御装置用通信端末装置が得られる。
【００１０】
このように、制御装置にビル設備の機種名を表す機種情報を格納しておき、通信端末装置がビル設備の機種名毎に制御情報とネットワーク変数とが対応付けられたネットワーク変数対応テーブルを備えて、通信端末装置は、制御装置と接続された際、制御装置から機種情報を得て、機種情報に対応する機種名に対応するネットワーク変数テーブルを検索ネットワーク変数対応テーブルとして検索して、検索ネットワーク変数対応テーブルを参照して制御情報とネットワーク変数との対応付けを行うようにしたから、ビル設備の機種に応じて制御情報が異なる際においても、容易にビル用設備制御装置をネットワークに接続することができる。
【００１１】
そして請求項１記載の発明は前記要旨に加えて、  前記ビル設備制御装置が通信制御手段を経由してネットワークと接続された際に、前記通信制御手段は第２の記憶装置内に前記検索ネットワーク変数対応テーブルが存在しないと、前記通信制御手段は前記第２の記憶装置に格納された前記ネットワーク変数対応テーブルを送付ネットワーク対応テーブルとして得て該送付ネットワーク変数テーブルを参照して前記制御情報と前記ネットワーク変数との対応付けを行うように制御することを特徴とする。
【００１２】
このように、制御装置に当該制御装置が制御するビル設備に関するネットワーク変数対応テーブルを格納しておき、上述の検索ネットワーク変数対応テーブルが存在しないと、通信端末装置は第２の記憶装置に格納されたネットワーク変数対応テーブルを送付ネットワーク対応テーブルとして得て、送付ネットワーク変数テーブルを参照して制御情報とネットワーク変数との対応付けを行うようにしたため、ビル設備の機種に応じて制御情報が異なる際に、通信端末装置に機種に対応するネットワーク変数対応テーブルが存在しない場合でも、容易にビル用設備制御装置をネットワークに接続することができる。
なお、請求項２記載の発明は前記要旨に加えて、前記ビル設備制御装置が通信制御手段を経由してネットワークと接続された際に、前記通信制御手段は、前記ネットワークから制御データを受けた際前記検索ネットワーク変数対応テーブルに基づいて前記ネットワーク変数と前記制御データとの対応づけを行うように制御することを特徴とする。
【００１３】
【発明の実施の形態】
以下、本発明を図に示した実施例を用いて詳細に説明する。但し、この実施例に記載される構成部品の寸法、形状、その相対配置などは特に特定的な記載がない限り、この発明の範囲をそれのみに限定する趣旨ではなく単なる説明例に過ぎない。なお、以下の説明においては、ビル用設備として、冷凍機を例に挙げて説明するが、ビル用設備は冷凍機に限られず、例えば、エレベータ設備、給水設備があり、これらについても、同様にして本発明を適用できる。
【００１４】
図１を参照して、冷凍機１１は冷凍機制御装置１２によって制御される。図示の例では、冷凍機制御装置１２は、プロセス入出力装置１２ａ、中央処理装置１２ｂ、記憶装置１２ｃ、及び通信インターフェース１２ｄを有しており、記憶装置１２ｃには、後述する制御情報格納領域１２１及びプログラム格納領域１２２が規定されている。
【００１５】
冷凍機制御装置１２はプロセス入出力装置１２ａによって冷凍機１１に接続されており、後述するように、プロセス入出力装置１２ａによって冷凍機１１の状態が中央処理装置１２ｂに入力されるとともに中央処理装置１２ｂから冷凍機１１に対して制御指令が与えられる。さらに、冷凍機制御装置１２は通信インターフェース１２ｄによって通信端末装置（ここでは、通信専用基板と呼ぶ）１３に接続されており、通信専用基板１３によって冷凍機制御装置１２はネットワーク（例えば、ローカルオペレータィングネットワーク（ＬＯＮ））１４に接続される。以下の説明では、ネットワーク１４はＬＯＮであるものとして説明する。
【００１６】
図示のように、通信専用基板１３は、ニューロンチップ１３ａ、記憶装置１３ｂ、及び通信インターフェース１３ｃを備えており、記憶装置１３ｂには、機種情報格納領域１３１が規定されるとともに少なくとも一つのネットワーク変数対応テーブル１３２が規定さている。そして、通信専用基板１３は、後述するようにして、制御情報とネットワーク変数とのプロトコル変換を行う。
【００１７】
いま、冷凍機１１が吸収冷凍機であるとすると、プロセス入出力装置１２ａには吸収冷凍機の状態（冷凍機を構成する各種機器等の状態を示す機器状態情報及び冷凍機の運転状態を示す冷凍機ステータス）が吸収冷凍機から与えられ、プロセス入出力装置１２ａからこれら機器状態情報及び冷凍機ステータスが中央処理装置１２ｂに与えられる（プロセス入出力装置１２ａは吸収冷凍機から与えられる入力データがアナログ入力であればデジタルに変換して、つまり、Ａ／Ｄ変換して中央処理装置１２ｂに与える）。この機器状態情報には、例えば、アナログ入力として冷却水入口温度、冷温水出口温度、冷温水出口温度、高圧再生器溶液温度、排ガス温度、高圧再生器圧力などがあり、デジタル入力として、ガス圧スイッチ、ポンプモーター過電流、冷温水ポンプインターロック、冷却水ポンプインターロックなどがある。
【００１８】
さらに、冷凍機ステータスには、冷水ポンプ運転中、冷却水ポンプ運転中、運転中、希釈運転中、及び停止中を示すステータスなどがある。
【００１９】
また、中央処理装置１２ｂには各種設定値が設定され、これら設定値には、例えば、冷水出口温度設定値及び温水出口温度設定値がある。中央処理装置１２ｂはこれら設定値、機器状態情報、及び冷凍機ステータスに基づいて各種制御指令を与える。例えば、制御指令には、溶液ポンプ運転、冷媒ポンプ運転、抽気ポンプ運転、冷温水ポンプ発停指令、冷却水ポンプ発停指令などがある。
【００２０】
上述の機器状態情報、冷凍機ステータス、設定値、制御指令、及び運転指令信号は、制御情報として制御情報格納領域１２１に格納される。さらに、制御情報格納領域１２１には、冷凍機の機種を示す機種情報が格納されている。なお、プログラム格納領域１２２には制御プログラム等が格納されており、中央処理装置１２ｂは制御プログラムに基づいて制御演算等を実行することになる。具体的には、制御プログラムとして、アナログ制御演算、デジタル制御演算、通信処理等がある。
【００２１】
一方、通信専用基板１３の記憶装置１３ｂに規定された機種情報格納領域１３１には後述するようにして機種情報が格納される。また、ネックワーク変数対応テーブル１３２は、ＬＯＮ上で授受されるネットワーク変数と、冷凍機制御装置１２及び通信専用基板１３の間で授受されるデータとを対応付けるテーブルであり、機種毎にテーブルが規定されている。例えば、図２に示すように、各テーブルは、機種名、データ種類（制御情報）、そして、各データ種類に対応してインデックス番号（ネットワーク変数）が格納されている。つまり、ネックワーク変数対応テーブル１３２には機種毎にデータ種類とネットワーク変数との対応表が格納されていることになる。
【００２２】
ここで、上述した冷凍機制御装置１２を通信専用基板１３を用いてネットワーク（ＬＯＮ）１４に接続する場合について説明する。図３を参照して、いま、冷凍制御装置１２の通信インターフェース１２ｄと通信専用基板１３の通信インターフェース１３ｃに接続するとともに、ニューロンチップ１３ａをＬＯＮ１４に接続して、電源をオンすると（ステップＳ１）、ニューロンチップ１３ａは中央処理装置１２ｂに対して機種情報要求を行う（ステップＳ２）。
【００２３】
この機種情報要求に応答して、中央処理装置１２ｂは記憶装置１２ｃをアクセスして、制御情報格納領域１２１から冷凍機の機種を示す機種情報を読み出して、ニューロンチップ１３ａに読込機種情報として送出する（ステップＳ３）。そして、ニューロンチップ１３ａはこの読込機種情報を記憶装置１３ｂの機種情報格納領域１３１に書き込み機種情報として格納する（ステップＳ４）。書き込み機種情報として、例えば、３文字のＡＳＣＩＩ文字列が機種情報格納領域１３１に格納され、ガス焚き吸収冷凍機は”ＭＧＳ”、蒸気式吸収冷凍機は”ＭＤＳ”で、ターボ冷凍機は”ＴＳＲ”で表される。
【００２４】
上述のようにして、書き込み機種情報を機種情報格納領域１３１に格納した後、ニューロンチップ１３ａは書き込み機種情報をキーとしてネットワーク変数対応テーブル１３２を検索して書き込み機種情報に対応する機種名がネックワーク変数対応テーブル１３２にあるか否かを調べる（ステップＳ５）。書き込み機種情報に対応する機種名があると、ニューロンチップ１３ａは、その機種名が存在するテーブル（以下該当テーブルという）を制御情報とネットワーク変数との対応付け表として用いる（ステップＳ６）。つまり、ニューロンチップ１３ａは、該当テーブルを参照して制御情報とネットワーク変数との対応付けをしてプロトコル変換を行うことになる。
【００２５】
その後、ニューロンチップ１３ａは予め規定された周期で（予め規定された時間毎に）中央処理装置１２ｂに対して制御情報要求を行う（ステップＳ７）。中央処理装置１２ｂでは、制御情報要求に応答して、制御情報をニューロンチップ１３ａに送る（ステップＳ８）。そして、ニューロンチップ１３ａでは、上記の予め規定された周期で示される期間において、その値又は状態が変化した制御情報があるか否かを調べて（ステップＳ９）、その値又は状態が変化した制御情報があると、当該制御情報について、前述の該当テーブルを参照して当該（その値又は状態が変化した）制御情報のみをネットワーク変数へセットする（ステップＳ１０）。このようにして、ニューロンチップ１３ａはネットワーク変数をＬＯＮ１４に送出することになる。
【００２６】
ステップＳ９において、その値又は状態が変化した制御情報がなければ、ステップＳ７に戻って、ニューロンチップ１３ａは予め規定された時間で制御情報要求を行う。
【００２７】
一方、ＬＯＮ１４を介して受けた指令等の制御情報は、ニューロンチップ１３ａが該当テーブルを参照して、ネットワーク変数から制御情報（制御指令）にプロトコル変換して、中央処理装置１２ｂに与えることになる。そして、中央処理装置１２ａはこの制御指令に基づいて冷凍機１１を制御する。
【００２８】
ところで、上述の説明では、予め通信専用基板１３内のネックワーク変数対応テーブル１３２に機種毎にデータ種類とネットワーク変数との対応テーブル（ネットワーク変数対応テーブル）を格納しておいたが、全ての機種についてネットワーク変数対応表を格納しておくことは難しいこともある。言い換えると、ステップＳ５において、該当テーブルがなければ、ニューロンチップ１３ａはプロトコル変換を行えないことになる。
【００２９】
このため、冷凍機制御装置１２の記憶装置１２ｃに当該冷凍機のネットワーク変数対応テーブルを格納しておくようにする。そして、ステップＳ５において、該当テーブルがないと、ニューロンチップ１３ａは中央処理装置１２ｂに対してネットワーク変換対応テーブルの送付要求を行う（ステップＳ１１）。これによって、中央処理装置１２ｂは記憶装置１２ｃからネットワーク変数対応テーブルを読み出して、ニューロンチップ１３ａに送付ネットワーク変数対応テーブルとして送る（ステップＳ１２）。そして、ニューロンチップ１３ａはこの送付ネットワーク変数対応テーブルを記憶装置１３ｂに格納する（ステップＳ１３）。その後、ニューロンチップ１３ａは、ステップＳ７を実行することになる。
【００３０】
上述のようにして、ニューロンチップ１３ａは、電源がオフされるまで、ステップＳ７〜Ｓ１０を行う。そして、電源がオフされると、ニューロンチップ１３ａは処理を停止する。再度電源がオンされた際には、既に機種情報を取得しているので、ニューロンチップ１３ａは、図３に示すステップＳ７〜Ｓ１０を実行することになる。
【００３１】
上述の例では、記憶装置１３ｂに少なくとも一つのネットワーク変数対応テーブルを格納しておく例について説明したが、記憶装置１３ｂにネットワーク変数対応テーブルを予め格納しておかなくてもよい。この場合には、通信専用基板１３を冷凍機制御装置１２に接続した際、前述のようにして、冷凍機制御装置１２から通信専用基板１３にネットワーク変数対応テーブルが送られることになる。
【００３２】
さらに、機種毎に予めネットワーク変数と制御情報との対応付けを決めておき、その取り決めに応じて中央処理装置１２ｂがネットワーク変数に対応させて制御情報をニューロンチップ１３ａに送るようにしてもよい。この場合には、ＬＯＮ１４から受けた制御指令は前述の取り決めに応じてプロトコル変換されて中央処理装置１２ｂに送られることになる。
【００３３】
【発明の効果】
以上説明したように、本発明では、制御装置にビル設備の機種名を表す機種情報を格納しておき、通信端末装置がビル設備の機種名毎に制御情報とネットワーク変数とが対応付けられたネットワーク変数対応テーブルを備えて、通信端末装置は、制御装置と接続された際、制御装置から機種情報を得て、機種情報に対応する機種名に対応するネットワーク変数テーブルを検索ネットワーク変数対応テーブルとして検索して、検索ネットワーク変数対応テーブルを参照して制御情報とネットワーク変数との対応付けを行うようにしたから、ビル設備の機種に応じて制御情報が異なる際においても、容易にビル用設備制御装置をネットワークに接続することができるという効果がある。
【００３４】
さらに、本発明では、制御装置に当該制御装置が制御するビル設備に関するネットワーク変数対応テーブルを格納しておき、上述の検索ネットワーク変数対応テーブルが存在しないと、通信端末装置は制御装置に格納されたネットワーク変数対応テーブルを送付ネットワーク対応テーブルとして得て、送付ネットワーク変数テーブルを参照して制御情報とネットワーク変数との対応付けを行うようにしたため、ビル設備の機種に応じて制御情報が異なる際に、通信端末装置に機種に対応するネットワーク変数対応テーブルが存在しない場合でも、容易にビル用設備制御装置をネットワークに接続することができるという効果がある。
【図面の簡単な説明】
【図１】  本発明による通信端末装置の一例を冷凍機及び冷凍機制御装置とともに示すブロック図である。
【図２】  図１に示す通信端末装置で用いられるネットワーク変数対応テーブルの一例を示す図である。
【図３】  図１に示す通信端末装置の動作を説明するためのフローチャートである。
【符号の説明】
１１    冷凍機
１２    冷凍機制御装置
１２ａ  プロセス入出力装置
１２ｂ  中央処理装置
１２ｃ，１３ｂ  記憶装置
１２ｄ，１３ｃ  通信インターフェース
１３    通信専用基板（通信端末装置）
１３ａ  ニューロンチップ（通信制御手段）
１４    ネットワーク（ローカルオペレータィングネットワーク（ＬＯＮ））
１２１  制御情報格納領域
１２２  プログラム格納領域
１３１  機種情報格納領域
１３２  ネットワーク変数対応テーブル
【図１】
0003901972.tif 000002
【図２】
0003901972.tif 000003
【図３】
0003901972.tif 000004